(57)【要約】【課題】複数のコイルモジュールの各特性を損なうことなく、薄型化を実現する。【解決手段】第１の磁性材料により形成された第１の磁性シート４と、第１の磁性シート４上に設けられ、面状に巻回された第１のループコイル５とを備えた第１のコイルモジュール２と、第１の磁性シート４と異なる第２の磁性材料により形成された第２の磁性シート６と、第２の磁性シート６上に設けられ、面状に巻回された第２のループコイル７とを備えた第２のコイルモジュール３とを有し、第１のループコイル５の内側には、第１の磁性シート４が設けられておらず、かつ第２のコイルモジュール３が設けられている。【選択図】図７
2014078847.tif 000002
【特許請求の範囲】
【請求項１】
第１の磁性材料により形成された第１の磁性シートと、上記第１の磁性シート上に設けられ、面状に巻回された第１のループコイルとを備えた第１のコイルモジュールと、
上記第１の磁性シートと異なる第２の磁性材料により形成された第２の磁性シートと、上記第２の磁性シート上に設けられ、面状に巻回された第２のループコイルとを備えた第２のコイルモジュールとを有し、
上記第１のループコイルの内側には、上記第１の磁性シートが設けられておらず、かつ上記第２のコイルモジュールが設けられている複合コイルモジュール。
【請求項２】
上記第１の磁性シートは、上記第１のループコイルの内外周方向に亘って開放され、上記第２のループコイルを外方に引き出す開放部が形成されている請求項１記載の複合コイルモジュール。
【請求項３】
上記第１の磁性シートは、上記第１のループコイルの内外周方向に、上記第２のコイルモジュールの幅以上の幅で開放され、該開放部にも上記第２のコイルモジュールが設けられている請求項１記載の複合コイルモジュール。
【請求項４】
上記開放部が上記第１の磁性シートの相対向する２辺間に亘って形成され、上記第１の磁性シートが該開放部によって２つに分離されている請求項３記載の複合コイルモジュール。
【請求項５】
上記第１のコイルモジュールは、非接触通信用のコイルモジュールであり、
上記第２のコイルモジュールは、非接触充電用のコイルモジュールである請求項１〜４のいずれか１項に記載の複合コイルモジュール。
【請求項６】
上記第２のコイルモジュールは、上記第２のループコイルが磁性材料を含有する磁性樹脂層によって被覆されている請求項１〜５のいずれか１項に記載の複合コイルモジュール。
【請求項７】
機器筐体内に複合コイルモジュールが搭載された携帯機器であって、
上記複合コイルモジュールは、
第１の磁性材料により形成された第１の磁性シートと、上記第１の磁性シート上に設けられ、面状に巻回された第１のループコイルとを備えた第１のコイルモジュールと、
上記第１の磁性シートと異なる第２の磁性材料により形成された第２の磁性シートと、上記第２の磁性シート上に設けられ、面状に巻回された第２のループコイルとを備えた第２のコイルモジュールとを有し、
上記第１のループコイルの内側には、上記第１の磁性シートが設けられておらず、かつ上記第２のコイルモジュールが設けられている携帯機器。
【請求項８】
上記複合コイルモジュールは、電子機器筐体に設けられた金属部材に重畳して配置され、
略矩形状に形成された上記第１のコイルモジュールは、すくなくとも１辺が、上記金属部材の一側縁部の近傍に位置される請求項７記載の携帯機器。
【請求項９】
上記第１のコイルモジュールの相対向する２辺が、上記金属部材の相対向する２側縁部の近傍に位置される請求項８記載の携帯機器。
【発明の詳細な説明】
【技術分野】
【０００１】
本発明は、複数のコイルモジュールを有する複合コイルモジュールに関し、特にループコイルの内径に他のループコイルを配置した複合コイルモジュール、及びこれを用いた携帯機器に関する。
【背景技術】
【０００２】
近年の無線通信機器においては、電話通信用アンテナ、ＧＰＳ用アンテナ、無線ＬＡＮ／ＢＬＵＥＴＯＯＴＨ（登録商標）用アンテナ、さらにはＲＦＩＤ（Radio Frequency Identification）といった複数のＲＦアンテナが搭載されている。これらに加えて、非接触充電の導入に伴って、電力伝送用のループコイルも搭載されるようになってきた。非接触充電方式で用いられる電力伝送方式には、電磁誘導方式、電波受信方式、磁気共鳴方式等が挙げられる。これらは、いずれも一次側コイルと二次側コイル間の電磁誘導や磁気共鳴を利用したものであり、例えば非接触充電のＱｉ規格やＲＦＩＤのＮＦＣ（Near Field Communication）規格では、電磁誘導を利用している。
【先行技術文献】
【特許文献】
【０００３】
【特許文献１】特開２００８−３５４６４号公報
【発明の概要】
【発明が解決しようとする課題】
【０００４】
電子機器の小型化、高機能化に伴い、携帯端末機器等の電子機器に上述のような複数のアンテナを搭載するのに割り当てられるスペースは極めて小さくなってきている。そこで、ＲＦＩＤ用のアンテナコイルと非接触充電用の充電コイルとを同一スペースに搭載するために、アンテナモジュールの小型化、薄型化、さらには、複数のコイルモジュールの複合化、集積化の要求が強まっている。
【０００５】
例えば図１２（ａ）（ｂ）に示す複合コイルモジュール１００は、ＲＦＩＤ用のアンテナモジュール１０１と、非接触充電用の充電モジュール１０２とが積層一体化されている。アンテナモジュール１０１は、通信用の磁界を引き込むのに適した磁性材料（例えばＭｎＺｎ系フェライト）からなる磁束集束用の磁性シート１０３と、導線を渦巻状に巻回して形成されたスパイラルコイル状のアンテナコイル１０４とを有する。磁性シート１０３は、一面に、スパイラルコイル状に形成されたアンテナコイル１０４が貼り付けられている。
【０００６】
また、充電モジュール１０２も、同様に、充電用の磁界を引き込むのに適した磁性材料（例えばＮｉＺｎ系フェライト）からなる磁束収束用の磁性シート１０５と、導線を渦巻状に巻回して形成されたスパイラルコイル状の充電コイル１０６とを有する。充電コイル１０６は、アンテナコイル１０４の内周側に収まる外径を有する。また、磁性シート１０５は、一面に、スパイラルコイル状に形成された充電コイル１０６が貼り付けられている。そして、複合コイルモジュール１００は、アンテナモジュール１０１のアンテナコイル１０４の内周側に、充電モジュール１０２が重畳されることにより一体化されている。
【０００７】
しかし、このように２つのコイルモジュール１０１，１０２を積層一体化した場合、各モジュール１０１，１０２の厚さが累積されるため、薄型化を図ることが出来ない。また、非接触充電コイルモジュールは大電流が流れるため、コイル径を薄くしてしまうと、抵抗値が上昇して高熱を発し、使用者や他の構成部品に対して危険であることから、ある程度の太さが求められ、積層一体化による薄型化にも限界がある。
【０００８】
また、薄型化を図るために、図１３（ａ）（ｂ）に示すように、アンテナコイルと充電コイルとを一つのフレキシブルプリント基板上に形成するとともに、一枚の磁性シートを貼り付けた複合コイルモジュール１１０も提案されている。
【０００９】
この複合コイルモジュール１１０は、フレキシブル基板に、アンテナモジュール１１１を構成するスパイラルコイル状のアンテナコイル１１２と、アンテナコイル１１２の内周側に設けられ充電モジュール１１３を構成するスパイラルコイル状の充電コイル１１４とが、いずれもＣｕ箔等により形成されている。そして、複合コイルモジュール１１０は、通信用又は充電用の磁界を引き込むのに適した磁性材料からなる磁束収束用の磁性シート１１６の一面に、アンテナコイル１１２及び充電コイル１１４が形成されたフレキシブル基板が貼り付けられている。
【００１０】
しかし、複合コイルモジュール１１０は、このように磁性シート１１６として、通信用又は充電用の磁界を引き込むのに適した磁性材料を用いているため、例えば非接触充電用コイルモジュールに最適な磁性体（例えばＭｎＺｎ系フェライト）を使用した場合、ＲＦＩＤの通信特性が劣化してしまう。また、ＲＦＩＤ用アンテナモジュールに最適な磁性体（例えばＮｉＺｎ系フェライト）を使用した場合、非接触充電特性が劣化してしまう。
【００１１】
そこで、本発明は、複数のコイルモジュールの各特性を損なうことなく、薄型化を実現し、狭小化されたスペースにも搭載可能な複合コイルモジュール、及びこれを用いた携帯機器を提供することを目的とする。
【課題を解決するための手段】
【００１２】
上述した課題を解決するために、本発明に係る複合コイルモジュールは、第１の磁性材料により形成された第１の磁性シートと、上記第１の磁性シート上に設けられ、面状に巻回された第１のループコイルとを備えた第１のコイルモジュールと、上記第１の磁性シートと異なる第２の磁性材料により形成された第２の磁性シートと、上記第２の磁性シート上に設けられ、面状に巻回された第２のループコイルとを備えた第２のコイルモジュールとを有し、上記第１のループコイルの内側には、上記第１の磁性シートが設けられておらず、かつ上記第２のコイルモジュールが設けられているものである。
【００１３】
また、本発明に係る携帯機器は、機器筐体内に複合コイルモジュールが搭載された携帯機器であって、上記複合コイルモジュールは、第１の磁性材料により形成された第１の磁性シートと、上記第１の磁性シート上に設けられ、面状に巻回された第１のループコイルとを備えた第１のコイルモジュールと、上記第１の磁性シートと異なる第２の磁性材料により形成された第２の磁性シートと、上記第２の磁性シート上に設けられ、面状に巻回された第２のループコイルとを備えた第２のコイルモジュールとを有し、上記第１のループコイルの内側には、上記第１の磁性シートが設けられておらず、かつ上記第２のコイルモジュールが設けられているものである。
【発明の効果】
【００１４】
本発明によれば、第１のコイルモジュールに、第１のループコイルの内周側に応じて第１の磁性シートが設けられておらず、かつ第２のコイルモジュールが設けられている。したがって、本発明は、第１のコイルモジュールと第２のコイルモジュールを重畳させた場合に比して、モジュール全体の薄型化を実現することができる。また、本発明は、第１のコイルモジュールと第２のコイルモジュールのそれぞれに最適な磁性材料を用いた第１、第２の磁性シートを備えるため、各モジュールの特性を損なうことなく、モジュールの薄型化を実現することができる。
【図面の簡単な説明】
【００１５】
【図１】本発明が適用された複合コイルモジュールの一例を示す図であり、（ａ）は平面図、（ｂ）は断面図である。
【図２】アンテナモジュールを用いた、ＲＦＩＤ用の無線通信システムの概要を示す図である。
【図３】非接触充電モジュールを用いた非接触充電システムの概要を示す図である。
【図４】本発明が適用された複合コイルモジュールの一例を示す平面図である。
【図５】本発明が適用された複合コイルモジュールの一例を示す平面図である。
【図６】本発明が適用された複合コイルモジュールの一例を示す平面図である。
【図７】本発明が適用された複合コイルモジュールの一例を示す平面図である。
【図８】金属板に重畳された複合コイルモジュールを示す平面図である。
【図９】金属板上における磁界強度分布を示す斜視図である。
【図１０】本発明が適用された複合コイルモジュールの一例を示す図であり、（ａ）は平面図、（ｂ）は断面図である。
【図１１】本発明が適用された複合コイルモジュールの一例を示す図であり、（ａ）は平面図、（ｂ）は断面図である。
【図１２】従来の複合コイルモジュールの一例を示す図であり、（ａ）は平面図、（ｂ）は断面図である。
【図１３】従来の複合コイルモジュールの一例を示す図であり、（ａ）は平面図、（ｂ）は断面図である。
【発明を実施するための形態】
【００１６】
以下、本発明が適用された複合コイルモジュール、及び携帯機器について、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることは勿論である。
【００１７】
本発明が適用された複合コイルモジュール１は、携帯型の電子機器に組み込まれるものであって、近距離無線通信機能と非接触充電機能との両方を実現するものである。具体的に、本発明が適用された複合コイルモジュール１は、図１に示すように、第１のコイルモジュールとなるアンテナモジュール２と、アンテナモジュール２の内側に設けられ第２のコイルモジュールとなる非接触充電モジュール３とを有する。アンテナモジュール２は、ＮＦＣ等のＲＦＩＤ用のモジュールであり、磁性材料により形成されたシート状の第１の磁性シート４と、第１の磁性シート４上に設けられ、面状に巻回されたスパイラルコイル状のアンテナコイル５とを備える。また、非接触充電モジュール３は、Ｑｉ等の非接触充電用のモジュールであり、第１の磁性シート４と異なる磁性材料により形成されたシート状の第２の磁性シート６と、第２の磁性シート６上に設けられ、面状に巻回されたスパイラルコイル状の非接触充電コイル７とを備える。
【００１８】
［アンテナモジュール]
第１の磁性シート４は、例えば、ＮｉＺｎ系フェライトの焼結体からなる。第１の磁性シート４は、予め薄くシート状に塗布したフェライト粒子を高温環境下で焼結させることによりシート化し、その後、所定の形状に型抜きすることにより形成される。あるいは、第１の磁性シート４は、予め最終形状と同形状にフェライト粒子をシート状に塗布し、焼結することにより形成することもできる。その他、第１の磁性シート４は、長方形断面を持った型に、フェライト粒子を詰め込み、平面視矩形状の直方体にフェライト粒子を焼結し、この焼結体を薄くスライスすることにより、所定の形状を得ることもできる。
【００１９】
なお、第１の磁性シート４は、軟磁性粉末からなる磁性粒子と結合材としての樹脂とを含んでいてもよい。
【００２０】
また、磁性粒子は、フェライト等の酸化物磁性体、センダスト、パーマロイ等のＦｅ系、Ｃｏ系、Ｎｉ系、Ｆｅ−Ｎｉ系、Ｆｅ−Ｃｏ系、Ｆｅ−Ａｌ系、Ｆｅ−Ｓｉ系、Ｆｅ−Ｓｉ−Ａｌ系、Ｆｅ−Ｎｉ−Ｓｉ−Ａｌ系等の結晶系、微結晶系磁性体、あるいはＦｅ−Ｓｉ−Ｂ系、Ｆｅ−Ｓｉ−Ｂ−Ｃ系、Ｃｏ−Ｓｉ−Ｂ系、Ｃｏ−Ｚｒ系、Ｃｏ−Ｎｂ系、Ｃｏ−Ｔａ系等のアモルファス金属磁性体の粒子を用いることができる。
【００２１】
なかでも、ＮＦＣ等のＲＦＩＤ用アンテナモジュール２に用いられる第１の磁性シート４は、磁性材料として上述したＮｉＺｎ系フェライトが好適に用いられる。
【００２２】
結合材は、熱、紫外線照射等により硬化する樹脂等を用いることができる。結合材としては、例えばエポキシ樹脂、フェノール樹脂、メラミン樹脂、ユリア樹脂、不飽和ポリエステル等の樹脂、あるいはシリコーンゴム、ウレタンゴム、アクリルゴム、ブチルゴム、エチレンプロピレンゴム等の周知の材料を用いることができる。なお、結合材は、上述の樹脂又はゴムに、難燃剤、反応調整剤、架橋剤又はシランカップリング剤等の表面処理剤を適量加えてもよい。
【００２３】
なお、第１の磁性シート４は、単一の磁性材料で構成する場合のみに限らず、２種類以上の磁性材料を、混合して用いてもよく、あるいは多層に積層して形成してもよい。また、第１の磁性シート４は、同一の磁性材料であっても、磁性粒子の粒径及び／又は形状を複数選択して混合してもよく、あるいは多層に積層して形成してもよい。
【００２４】
アンテナコイル５は、ポリイミド等によるフレキシブル基板１０にＣｕ箔等からなる導電パターンがスパイラルコイル状に形成されてなる。
【００２５】
アンテナモジュール２は、第１の磁性シート４及びアンテナコイル５のフレキシブル基板１０が同一形状を有する。また、アンテナモジュール２は、フレキシブル基板１０のアンテナコイル５の内周側が開口されるとともに、第１の磁性シート４もアンテナコイル５の内周側が開口され、これにより、開口部２ａが形成されている。そして、アンテナモジュール２は、この開口部２ａに非接触充電モジュール３が配設されている。
【００２６】
［近距離無線通信システム］
次に、アンテナモジュール２による近距離無線通信機能について説明する。例えば図２に示すように、複合コイルモジュール１は、例えば携帯電話機６０の筐体６１内部に組み込まれ、アンテナモジュール２は、ＲＦＩＤ用の無線通信システム７０として使用される。
【００２７】
無線通信システム７０は、リーダライタ７１が、アンテナモジュール２とともに携帯電話機６０に組み込まれたメモリモジュール７３に対してアクセスするものである。ここで、アンテナモジュール２とリーダライタ７１とは、三次元直交座標系ｘｙｚのｘｙ平面において互いに対向するように配置されているものとする。
【００２８】
リーダライタ７１は、ｘｙ平面において互いに対向するアンテナモジュール２のアンテナコイル５に対して、ｚ軸方向に磁界を発信する発信器として機能し、具体的には、アンテナコイル５に向けて磁界を発信するアンテナ７２と、メモリモジュール７３と通信を行う制御基板７４とを備える。
【００２９】
すなわち、リーダライタ７１は、アンテナ７２と電気的に接続された制御基板７４が配設されている。この制御基板７４には、一又は複数の集積回路チップ等の電子部品からなる制御回路が実装されている。この制御回路は、アンテナコイル５を介してメモリモジュール７３から受信されたデータに基づいて、各種の処理を実行する。例えば、制御回路は、メモリモジュール７３に対してデータを送信する場合、データを符号化し、符号化したデータに基づいて、所定の周波数（例えば、１３．５６ＭＨｚ）の搬送波を変調し、変調した変調信号を増幅し、増幅した変調信号でアンテナ７２を駆動する。また、制御回路は、メモリモジュール７３からデータを読み出す場合、アンテナ７２で受信されたデータの変調信号を増幅し、増幅したデータの変調信号を復調し、復調したデータを復号する。なお、制御回路では、一般的なリーダライタで用いられる符号化方式及び変調方式が用いられ、例えば、マンチェスタ符号化方式やＡＳＫ（Amplitude Shift Keying）変調方式が用いられている。
【００３０】
アンテナモジュール２は、アンテナコイル５が、リーダライタ７１から発信される磁界を受けリーダライタ７１と誘導結合して、携帯電話機６０に組み込まれた記憶媒体であるメモリモジュール７３に信号を供給する。
【００３１】
アンテナコイル５は、リーダライタ７１から発信される磁界を受けると、リーダライタ７１と誘導結合によって磁気的に結合され、変調された電磁波を受信して、端子部８ａ、８ｂを介して受信信号をメモリモジュール７３に供給する。
【００３２】
メモリモジュール７３は、アンテナコイル５に流れる電流により駆動し、リーダライタ７１との間で通信を行う。具体的に、メモリモジュール７３は、受信された変調信号を復調し、復調したデータを復号して、復号したデータを、当該メモリモジュール７３が有する内部メモリに書き込む。また、メモリモジュール７３は、リーダライタ７１に送信するデータを内部メモリから読み出し、読み出したデータを符号化し、符号化したデータに基づいて搬送波を変調し、誘導結合によって磁気的に結合されたアンテナコイル５を介して変調された電波をリーダライタ７１に送信する。
【００３３】
［非接触充電モジュール］
非接触充電モジュール３は、第１の磁性シート４と異なる磁性材料により形成されたシート状の第２の磁性シート６と、第２の磁性シート６上に設けられ、面状に巻回されたスパイラルコイル状の非接触充電コイル７とを備える。
【００３４】
第２の磁性シート６は、アンテナコイルモジュール２の開口部２ａの内側に収まる大きさで形成されている。また、第２の磁性シート６は、上述した第１の磁性シート４と同様に、シート状に形成された磁性粒子の焼結体からなり、例えばＭｎＺｎ系フェライトを好適に用いることができる。また、第２の磁性シート６は、ＮｉＺｎ系フェライトで形成してもよい。この第２の磁性シート６は、第１の磁性シート４と同様に製造することができる。
【００３５】
また、第２の磁性シート６も、第１の磁性シート４と同様に、軟磁性粉末からなる磁性粒子と結合材としての樹脂とを含んでシート状に形成されてもよい。また第２の磁性シート６は、磁性粒子や結合材も第１の磁性シート４に用いることができる上述した材料を用いることができる。
【００３６】
また、第２の磁性シート６は、第１の磁性シート４と同様に、単一の磁性材料で構成する場合のみに限らず、２種類以上の磁性材料を、混合して用いてもよく、あるいは多層に積層して形成してもよい。また、第２の磁性シート６は、同一の磁性材料であっても、磁性粒子の粒径及び／又は形状を複数選択して混合してもよく、あるいは多層に積層して形成してもよい。
【００３７】
非接触充電コイル７は、送電コイルから発信される磁界を受けて送電コイルと誘導結合することにより、複合コイルモジュール１が組み込まれた携帯機器のバッテリに充電電流を供給する。非接触充電コイル７は、例えばスパイラルコイル状に巻回された導線からなる。
【００３８】
非接触充電コイル７を構成する導線は、非接触充電モジュール３を、例えば５Ｗ程度の充電出力容量を有する非接触充電用の二次側充電コイルとして用いる場合であって、１２０ｋＨｚ程度の周波数で用いられるときには、０．２０〜０．４５ｍｍの系のＣｕ又はＣｕを主成分とする合金からなる単線を用いることが好ましい。あるいは、導線は、表皮効果を低減させるために、上述の単線よりも細い細線を複数本束ねた平行線、編線を用いてもよく、厚みの薄い平角線又は扁平線を用いて１層又は２層のα巻としてもよい。また、非接触充電コイル７は、電流容量に応じて、フレキシブル基板等の基板上にパターン形成されたＣｕ箔等を用いてもよい。
【００３９】
なお、アンテナモジュール２と非接触充電モジュール３とは、物理的に分離されている。したがって、アンテナコイル５と非接触充電コイル７とは、透磁率の低い（磁気抵抗の低い）空気を介して配置されるので、磁気結合は弱くなる。また、アンテナモジュール２と非接触充電モジュール３との間に、高磁気抵抗を有する絶縁材料、例えばエポキシやフェノール等のサブ基板やポリイミド等によるフレキシブル基板を介在させてもよい。
【００４０】
［非接触充電システム］
次に、非接触充電コイル７による非接触充電機能について説明する。例えば図３に示すように、非接触充電コイル７は、例えばＱｉ規格の非接触充電システム８０として使用される。
【００４１】
非接触充電システム８０は、非接触充電モジュール３の非接触充電コイル７と接続されたバッテリパック８１に対して、充電装置８２により充電を行うものである。ここで、非接触充電モジュール３の非接触充電コイル７と充電装置８２の送電コイル８３とは、上述したアンテナコイル５とリーダライタ７１との位置関係と同様に、三次元直交座標系ｘｙｚのｘｙ平面において互いに対向するように配置されているものとする。
【００４２】
充電装置８２は、ｘｙ平面において互いに対向する非接触充電モジュール３の非接触充電コイル７に対して、ｚ軸方向に磁界を発信する送電手段として機能し、具体的には、非接触充電コイル７に向けて磁界を発信する送電コイル８３と、送電コイル８３を介して誘導結合された非接触充電コイル７への電力の供給を制御する送電制御基板８４とを備える。
【００４３】
すなわち、充電装置８２は、送電コイル８３と電気的に接続された送電制御基板８４が配設されている。この送電制御基板８４には、一又は複数の集積回路チップ等の電子部品からなる制御回路が実装されている。この制御回路は、送電コイル８３と誘導結合された非接触充電コイル７に充電電流を供給する。具体的に、送電制御基板８４は、所定の周波数例えば、１１０ｋＨｚの比較的低周波数の送電電流により送電コイル８３を駆動する。
【００４４】
非接触充電モジュール３は、上述したように、携帯電話機６０の筐体６１内部に組み込まれ、非接触充電コイル７が、送電コイル８３から発信される磁界を受け送電コイル８３と誘導結合して、携帯電話機６０に組み込まれたバッテリパック８１に受電した電流を供給する。
【００４５】
非接触充電コイル７は、充電装置８２から発信される磁界を受けると、充電装置８２と誘導結合によって磁気的に結合され、変調された電磁波を受電して、端子部９ａ、９ｂを介して充電電流をバッテリパック８１に供給する。
【００４６】
バッテリパック８１は、非接触充電コイル７に流れる充電電流に応じた充電電圧を、当該バッテリパック８１内部のバッテリセルに印加する。
【００４７】
以上のような複合コイルモジュール１によれば、近距離無線通信機能を実現するアンテナコイル５と、非接触充電機能を実現する非接触充電コイル７とが形成されているので、携帯機器である携帯電話機６０に組み込んだ際に筐体６１の小型化を図りつつ、近距離無線通信機能と非接触充電機能との両立を実現することができる。
【００４８】
このとき、複合コイルモジュール１によれば、アンテナモジュール２に、アンテナコイル５の内周側に応じて第１の磁性シート４が設けられていない開口部２ａを形成し、この開口部２ａに非接触充電モジュール３を配設している。したがって、複合コイルモジュール１は、アンテナモジュール２と非接触充電モジュール３を重畳させた場合に比して、モジュール全体の薄型化を実現することができる。また、複合コイルモジュール１は、アンテナモジュール２と非接触充電モジュール３のそれぞれに最適な磁性材料を用いた第１、第２の磁性シート４，６を備えるため、アンテナ特性及び充電特性を損なうことなく、モジュールの薄型化を実現することができる。
【００４９】
なお、複合コイルモジュール１は、図１に示すように、第２の磁性シート６に、非接触充電コイル７の内周側の端部を外方に引き出すための切欠き部６ａを形成してもよい。これにより、複合コイルモジュール１は、非接触充電コイル７の内周側の端部を第２の磁性シート６と同一平面に引き回すことができ、非接触充電コイル７の上部に重ねて外方へ引き出す場合に比して薄型化を図ることができる。
【００５０】
［開放部］
また、複合コイルモジュール１は、図１に示すように、第１の磁性シート４に、アンテナコイル５の内外周方向に亘って開放された開放部４ａを設け、当該開放部４ａより非接触充電コイル７を外方に引き出すようにしてもよい。これにより、複合コイルモジュール１は、非接触充電コイル７の両端部７ａ，７ｂをアンテナモジュール２に重畳させることで厚みを増すこともなく、モジュールの外方に引き出すことができる。
【００５１】
開放部４ａは、少なくとも非接触充電コイル７の導線を通すことが可能な幅を有し、また、第１の磁性シート４の１又は複数箇所に設けてもよい。
【００５２】
また、複合コイルモジュール１は、図４に示すように、第１の磁性シートに非接触充電モジュール３の幅以上の幅で開放部４ａが形成されるとともに、該開放部４ａにも非接触充電モジュール３の第２の磁性シート６を設けるようにしてもよい。これにより、複合コイルモジュール１は、非接触充電モジュール３の第２の磁性シート６の面積を拡大し、磁束をより収束しやすくすることで、充電効率を向上させることができる。
【００５３】
この場合も、開放部４ａは、第１の磁性シート４の１辺又は複数の辺に設けてもよい。このとき、複合コイルモジュール１は、第１の磁性シート４の１辺に開放部４ａを設ける場合、図５に示すように他の３辺を各１辺を構成する独立した３つの磁性シートで構成してもよく、あるいは図６に示すように、他の３辺を一体の磁性シートで構成してもよい。
【００５４】
また、複合コイルモジュール１は、図７に示すように、開放部４ａが第１の磁性シート４の相対向する２辺間に亘って形成されることで、第１の磁性シート４が該開放部４ａによって２つに分離してもよい。分離された各第１の磁性シート４は、アンテナコイル５の相対向する２辺と重畳されている。
【００５５】
また、複合コイルモジュール１は、分離された各第１の磁性シート４間に第２の磁性シート６を配設することができる。これにより、複合コイルモジュール１は、第２の磁性シート６の大面積化を図り、非接触充電モジュール３の充電効率を向上させることができる。
【００５６】
このとき、複合コイルモジュール１は、図８に示すように、開放部４ａが第１の磁性シート４の相対向する２辺間に亘って形成されることで、第１の磁性シート４が該開放部４ａによって２つに分離されるとともに、分離された第１の磁性シート４の少なくとも一方が、複合コイルモジュール１が組み込まれた携帯機器内の金属板３０の側縁に沿って配設されることが好ましい。
【００５７】
すなわち、複合コイルモジュール１は、携帯機器内において、例えばバッテリパックや機器筐体の補強板等の金属板３０に重畳して設けられ、かつ分離された各第１の磁性シート４が、当該金属板３０の両側縁に沿って配設される。ここで、当該携帯機器内における磁界分布をみると、図９に示すように、金属板３０に向かう磁束は金属板３０の板面によって両側縁に向かって流れるため、金属板３０の両側縁部の磁界強度が高い。図９では、強磁界領域をＡ、Ａよりも弱い磁界領域をＢ、Ｂよりも弱い磁界領域をＣで示している。そこで、複合コイルモジュール１は、かかる強磁界領域Ａに第１の磁性シート４を配することで、より多くの磁束を効率よく引き込み、アンテナモジュール２の通信特性を向上させることができる。
【００５８】
同時に、複合コイルモジュール１は、分離された各第１の磁性シート４間に第２の磁性シート６を配設することができ、これにより、第２の磁性シート６の大面積化を図り、非接触充電モジュール３の充電効率をさらに向上させることができる。
【００５９】
また、複合コイルモジュール１は、分離された第１の磁性シート４の両方が、複合コイルモジュール１が組み込まれた携帯機器内の金属板３０の相対向する２側縁に沿って配設されることで、さらにアンテナモジュール２の通信特性を向上させることができる。
【００６０】
［その他］
なお、非接触充電モジュール３は、図１０に示すように、非接触充電コイル７が磁性樹脂層４０によって被覆されるようにしてもよい。
【００６１】
磁性樹脂層４０は、上述した第１、第２の磁性シート４，６と同様に、軟磁性粉末からなる磁性粒子と結合材としての樹脂とを含んでいる。また、磁性樹脂層４０は、図１０に示すように、非接触充電モジュール３の第２の磁性シート６と異なる磁性粒子と結合材によって形成してもよい。あるいは、磁性樹脂層４０は、図１１に示すように、第２の磁性シート６の形成時に非接触充電コイル７を第２の磁性シート６を構成する磁性粒子が含有された樹脂組成物に埋設することにより、第２の磁性シート６と同一の磁性粒子と結合材とによって形成してもよい。
【００６２】
磁性粒子は、フェライト等の酸化物磁性体、Ｆｅ系、Ｃｏ系、Ｎｉ系、Ｆｅ−Ｎｉ系、Ｆｅ−Ｃｏ系、Ｆｅ−Ａｌ系、Ｆｅ−Ｓｉ系、Ｆｅ−Ｓｉ−Ａｌ系、Ｆｅ−Ｎｉ−Ｓｉ−Ａｌ系等の結晶系、微結晶系磁性体、あるいはＦｅ−Ｓｉ−Ｂ系、Ｆｅ−Ｓｉ−Ｂ−Ｃ系、Ｃｏ−Ｓｉ−Ｂ系、Ｃｏ−Ｚｒ系、Ｃｏ−Ｎｂ系、Ｃｏ−Ｔａ系等のアモルファス金属磁性体の粒子を用いることができる。
【００６３】
磁性粒子は、粒径が数μｍ〜数十μｍの球形又は扁平粉を用いることができるが、破砕粉を混合させてもよい。上述した金属磁性体の場合には、複素透磁率が周波数特性を有しており、動作周波数が高くなると表皮効果により損失が生じるので、使用する周波数の帯域に応じて粒径及び形状を調整することが好ましい。また、複合コイルモジュール１のインダクタンス値は、磁性体の実部透磁率（以下、単に透磁率という。）によって決定されるが、透磁率は、磁性粒子と樹脂との混合比率により調整することができる。磁性樹脂層４０の平均透磁率と、配合する磁性粒子の透磁率の関係は、配合量に対して一般的に対数混合則に従うので、粒子間の相互作用が増していく体積充填率４０ｖｏｌ％以上とすることが好ましい。なお、磁性樹脂層４０は、熱伝導特性も磁性粒子の充填率の増大とともに向上する。
【００６４】
また、磁性樹脂層４０は、単一の磁性材料で構成する場合のみに限らず、２種類以上の磁性材料を、混合して用いてもよく、あるいは多層に積層して形成してもよい。また、磁性樹脂層４０は、同一の磁性材料であっても、磁性粒子の粒径及び／又は形状を複数選択して混合してもよく、あるいは多層に積層して形成してもよい。
【００６５】
結合材は、熱、紫外線照射等により硬化する樹脂等を用いることができる。結合材としては、例えばエポキシ樹脂、フェノール樹脂、メラミン樹脂、ユリア樹脂、不飽和ポリエステル等の樹脂、あるいはシリコーンゴム、ウレタンゴム、アクリルゴム、ブチルゴム、エチレンプロピレンゴム等の周知の材料を用いることができる。なお、結合材は、上述の樹脂又はゴムに、難燃剤、反応調整剤、架橋剤又はシランカップリング剤等の表面処理剤を適量加えてもよい。
【符号の説明】
【００６６】
１  複合コイルモジュール、２  アンテナモジュール、２ａ  開口部、３  非接触充電モジュール、４  第１の磁性シート、４ａ  開放部、５  アンテナコイル、６  第２の磁性シート、７  非接触充電コイル、１０  フレキシブル基板、２０  導線、３０  金属板、４０  磁性樹脂層、６０  携帯電話機、６１  筐体、７０  無線通信システム、７１  リーダライタ、７２  アンテナ、７３  メモリモジュール、７４  制御基板、８０  非接触充電システム、８１  バッテリパック、８２  充電装置、８３  送電コイル、８４  送電制御基板
【図１】
2014078847.tif 000003
【図２】
2014078847.tif 000004
【図３】
2014078847.tif 000005
【図４】
2014078847.tif 000006
【図５】
2014078847.tif 000007
【図６】
2014078847.tif 000008
【図７】
2014078847.tif 000009
【図８】
2014078847.tif 000010
【図９】
2014078847.tif 000011
【図１０】
2014078847.tif 000012
【図１１】
2014078847.tif 000013
【図１２】
2014078847.tif 000014
【図１３】
2014078847.tif 000015